(57)【要約】  本発明は、少なくとも１つのベース部材１５ａ、１５ｂ、３７、５７、７９、９１と少なくとも１つの照明装置とを有する照明システム２７、２７'、７５、８９であって、前記照明装置は、前記ベース部材によって少なくとも１つの支持構造５９、７７、９３と機能的に接続されることができ、前記ベース部材は、少なくとも１つの第１の接続部材１９ａ、１９ｂ、４７、４９、５１を有し、前記照明装置は、第１の接続部材１９ａ、１９ｂ、４７、４９、５１と機能的に接続されることができる少なくとも１つの第２の接続部材５、６７ａ、６７ｂを有し、引力の磁力は、前記第１の接続部材と前記第２の接続部材との間に生成されることができる、照明システムと、照明装置と、ベース部材とに関する。
2012527723.tif 000002
【特許請求の範囲】
【請求項１】
少なくとも１つのベース部材及び少なくとも１つの照明装置を有する照明システムであって、前記照明装置は、前記ベース部材によって少なくとも１つの支持構造に機能的に接続されることができ、前記ベース部材は、少なくとも１つの第１の接続部材を有しており、前記照明装置は、前記第１の接続部材と機械的に接続されることができる少なくとも１つの第２の接続部材を有している、照明システムにおいて、引力の磁力が前記第１の接続部材と前記第２の接続部材との間に生成されることができることを特徴とする、照明システム。
【請求項２】
前記第１の接続部材及び前記第２の接続部材は、機械的な接続、特に摩擦及び／若しくは明確に相互係合されている接続、及び／若しくは電気的接続が、前記ベース部材と前記照明装置との間でなされることを可能にするために、機能的に接続されることができることを特徴とする、請求項１に記載の照明システム。
【請求項３】
前記ベース部材が第１のエネルギ源を有すること及び／又は前記第１のベース部材が少なくとも１つの第２のエネルギ源に電気的に接続されることができ、前記ベース部材は、好ましくは、少なくとも１つの第３の接続部材及び前記第２のエネルギ源を有し、及び／又は少なくとも１つの電気的リード部材は、少なくとも１つの第４の接続部材を有し、引力の磁力は、特に、前記第３の接続部材と前記第４の接続部材との間に生成されることができ、及び／又は前記第１のエネルギ源及び／又は前記第２のエネルギ源は、少なくとも１つの非再充電可能電池、少なくとも１つの蓄電池及び／又は電気供給ネットワークへの接続を有することを特徴とする、請求項２に記載の照明システム。
【請求項４】
前記第１の接続部材、前記第２の接続部材、前記第３の接続部材及び／又は前記第４の接続部材が、少なくとも１つの磁石を有し、前記磁石は、特に、少なくとも１つの永久磁石及び／若しくは少なくとも１つの電磁的手段を有し、引力の磁力が、前記磁石によって、特に、前記第１の接続部材が少なくとも１つの第１の磁石を有し、前記第２の接続部材が少なくとも１つの第２の磁石を有し、前記第３の接続部材が少なくとも１つの第３の磁石を有し並びに／又は前記第４の接続部材が少なくとも１つの第４の磁石を有して、前記第１の接続部材と前記第２の接続部材との間に及び／若しくは前記第３の接続部材と前記第４の接続部材との間に生成されることができることを特徴とする、請求項１乃至３の何れか一項に記載の照明システム。
【請求項５】
前記第１の接続部材が、少なくとも１つ又は複数の領域において、前記第２の磁石によって生成される磁場によって引きつけられることができる少なくとも１つの第１の材料を有し、前記第２の接続部材が、少なくとも１つ又は複数の領域において、前記第１の磁石によって生成される磁場によって引きつけられることができる少なくとも１つの第２の材料を有し、前記第３の接続部材が、少なくとも１つ又は複数の領域において、前記第４の磁石によって生成される磁場によって引きつけられることができる少なくとも１つの第３の材料を有し、前記第４の接続部材が、少なくとも１つ又は複数の領域において、前記第３の磁石によって生成される磁場によって引きつけられることができる少なくとも１つの第４の材料を有し、及び／又は前記第１の接続部材が前記第１の磁石を有し、前記第２の接続部材が前記第２の磁石を有し、及び／又は前記第３の接続部材が前記第３の磁石を有し、前記第４の接続部材が前記第４の磁石を有することを特徴とする、請求項４に記載の照明システム。
【請求項６】
第１の接続部材及び／若しくは前記第３の接続部材が、一方において、少なくとも１つの第１のコンタクト部材を有し、前記第２の接続部材及び／若しくは前記第４の接続部材が、他方において、前記第１のコンタクト部材と電気的に接続されることができる少なくとも１つの第２のコンタクト部材を有し、前記第１のコンタクト部材及び前記第２のコンタクト部材は、好ましくは、このように設計され、特に、このように前記第１の接続部材、前記第２の接続部材、前記第３の接続部材及び／又は前記第４の接続部材の表面上に配されており、一方での前記第１の接続部材と他方での前記第２の接続部材との間、及び／又は一方での前記第３の接続部材と他方での前記第４の接続部材との間の相対的な位置の少なくとも２つ、好ましくは複数において、電気的接続が、一方での前記第１の接続部材と他方での前記第２の接続部材との間、及び／又は、一方での前記第３の接続部材と他方での前記第４の接続部材との間でなされることができることを特徴とする、請求項２乃至５の何れか一項に記載の照明システム。
【請求項７】
前記第１の接続部材及び／若しくは前記第３の接続部材が、少なくとも１つの第１のコンタクト表面を有し、前記第２の接続部材及び／若しくは前記第４の接続部材が、前記第１のコンタクト表面と相補的な第２のコンタクト表面を有し、引力の磁力が、特に、前記第１のコンタクト表面と前記第２のコンタクト表面との間で生成されることができる、並びに／又は前記第１のコンタクト表面が、少なくとも１つの第１の対称中心、少なくとも１つの第１の対称軸及び／若しくは少なくとも１つの第１の対称平面を有する、並びに／又は前記第２のコンタクト表面が、少なくとも１つの第２の対称中心、少なくとも１つの第２の対称軸及び／若しくは少なくとも１つの第２の対称平面を有することを特徴とする、請求項１乃至６の何れか一項に記載の照明システム。
【請求項８】
前記第１のコンタクト部材と、特に、前記第１のコンタクト部材が有する少なくとも１つの、好ましくは複数の第１のコンタクト手段とが、特に、第１の対称点、第１の対称軸及び／若しくは第１の対称平面に関して、対称である、特に、回転対称である、鏡像対称である及び／若しくは点対称である形態のものであること、
前記第２のコンタクト部材と、特に、前記第２のコンタクト部材が有する少なくとも１つの、好ましくは複数の第２のコンタクト手段とが、特に、第２の対称点、第２の対称軸及び／若しくは第２の対称平面に関して対称である、特に、回転対称である、鏡像対称である及び／若しくは点対称である形態のものであること、並びに／又は
前記第１の対称平面及び前記第２の対称平面、前記第１の対称軸及び前記第２の対称軸、及び／若しくは前記第１の対称点及び前記第２の対称点は、少なくとも前記第１の接続部材が前記引力の磁力によって第２の接続部材に接続される場合に、一致すること
を特徴とする、請求項７に記載の照明システム。
【請求項９】
前記ベース部材が、特に、前記ベース部材の異なる表面上に配される複数の第１の接続部材を有し、特に、前記ベース部材が、前記支持構造に隣接する第１の表面を有し、前記第１の表面とは異なる少なくとも２つの第２の表面が少なくとも１つの第１の接続部材を有し、前記第１の表面及び前記第２の表面は、好ましくは、特に前記ベース部材によって形成される通常の多面体、立方形、立方体、ピラミッド及び／又は斜方形の表面によって形成されていることを特徴とする、請求項１乃至８の何れか一項に記載の照明システム。
【請求項１０】
前記支持構造が、少なくとも１つの部屋の壁、少なくとも１つの部屋の天井、並びに／又はテーブル及び／若しくは椅子のような少なくとも１つの家具を含んでおり、前記ベース部材が、少なくとも１つのケーブルシステムに接続されることができる少なくとも１つの支持部材、少なくとも１つの自由スイング手段、少なくとも１つのランプの足及び／又は少なくとも１つの壁取り付けを有することを特徴とする、請求項１乃至９の何れか一項に記載の照明システム。
【請求項１１】
前記照明装置が、少なくとも１つの発光部材であって、好ましくは、少なくとも１つの第１の接合手段によって前記第２の接続部材に接続されている及び／若しくは前記第２の接続部材に対して移動されることができる発光部材を有する、並びに／又は前記照明装置が、少なくとも２つの、特に、複数の発光部材であって、少なくとも１つの第２の接合手段によって一緒に接続されている又は互いに対して移動されることができる発光部材を有し、前記第１の接合手段及び／若しくは前記第２の接合手段は、特に、自動ロック式である及び／又は無断階に移動可能であると共に、少なくとも１つの摺動接合、少なくとも１つの回転接合、少なくとも１つのネジ接合、少なくとも１つの摺動及び回転接合、少なくとも１つの自在継手及び／若しくは少なくとも１つのヒンジを有しており、並びに／又は前記発光部材は、少なくとも１つの発光ダイオード（ＬＥＤ）及び／若しくは少なくとも１つの有機発光ダイオード（ＯＬＥＤ）を有することを特徴とする、請求項１乃至１０の何れか一項に記載の照明システム。
【請求項１２】
前記発光部材、前記第１の接続部材、前記第２の接続部材及び／又は前記ベース部材が有する少なくとも１つの制御及び／又は調整手段によって特徴付けられ、当該照明装置の少なくとも１つの動作パラメータ、特に、発光スペクトル、放出の少なくとも１つの輝度及び／若しくは照明及び／若しくは動作の少なくとも１つの期間が、前記制御及び／若しくは調整手段によって制御及び／若しくは調整されることができ、前記照明装置が、好ましくは、前記制御及び／若しくは調整手段によってスイッチをオン・オフされる及び／若しくは調光されることができる、請求項1乃至１１の何れか一項に記載の照明システム。
【請求項１３】
前記第３の接続部材は少なくとも１つの出力ストリップを有する、前記第４の接続部材は前記出力ストリップ上にプラグ接続されることができる少なくとも１つのプラグ部材を有する、前記第３の接続部材は前記第４の接続部材が有する少なくとも１つの雄型の接続部材に対する少なくとも１つの雌型の受け口を有する、及び／又は前記第４の接続部材は、前記第３の接続部材が有する少なくとも１つの雄型の接続部材に対する少なくとも１つの雌型の受け口を有することを特徴とする、請求項２乃至１２の何れか一項に記載の照明システム。
【請求項１４】
請求項１乃至１３の何れか一項に記載の照明システムにおいて使用されることができることを特徴とするベース部材。
【請求項１５】
請求項１乃至１３の何れか一項に記載の照明システムにおいて使用されることができることを特徴とする照明装置。
【発明の詳細な説明】
【技術分野】
【０００１】
本発明は、少なくとも１つのベース部材及び少なくとも１つの照明装置を有する照明システムであって、前記照明装置は、前記ベース部材によって少なくとも１つの支持構造に機能的に接続される（brought into functional connection）ことができ、前記ベース部材は、少なくとも１つの第１の接続部材を有しており、前記照明装置は、前記第１の接続部材と機械的に接続されることができる少なくとも１つの第２の接続部材を有している、照明システムと、前記照明システム内で使用されることができるベース部材と、前記前記照明システム内で使用されることができる照明装置とに関する。
【背景技術】
【０００２】
従来技術から知られているのは、ベース部材が支持構造（例えば、部屋の壁又は天井）に固定される照明システムであり、照明装置は、機械的にかつエネルギを供給されることを可能にするように両方のために適切な接続部材によって前記ベース部材と機能的に接続するように配されることができる。このようにして、米国特許第６，９３９，１７９号は、例えば、モジュラプラグイン電気的配線システムを開示している。第１の汎用電気モジュールが、ネジ接続による部屋の天井のような、支持構造上に配されることが提案されている。前記第１のモジュラーユニットは、電気接続部材を有しており、第２のモジュラーユニットは、照明装置（特に、ランプ）の一部であり、前記第１のモジュラーユニット内に挿入される場合に電気的接続がなされるような仕方において、前記第１の汎用電気モジュラーユニット内に挿入されることができる。前記第２のモジュラーユニットが前記第１のモジュラーユニットに固定されるのを可能にするために、これら２つのユニットは、ネジによって一緒に接続される。
【発明の概要】
【発明が解決しようとする課題】
【０００３】
しかしながら、このシステムは、仮にそうである場合、前記照明システムは、ユーザによって所望の照明の状況に適応化されることができ、特に、２つの前記汎用ユニットの相対的な位置の変化が存在する場合、前記ネジ接続は、異なる相対的な位置が前記汎用ユニット間で設定されるのを可能にするように、外されなければならないという専ら複雑な仕方におけるものであるという不利な点を、有する。
【０００４】
従って、本発明の目的は、特にモジュラ構造であることにより、従来技術の不利な点が克服されると共に当該照明システムが所望の照明状況に容易に適応化されることを可能にする照明システムが提供されるような仕方において、一般的な種類の照明システムを更に開発することにある。
【課題を解決するための手段】
【０００５】
この技術的な目的は、引力の磁力が前記第１の接続部材と前記第２の接続部材との間に生成されることができるという事実によって達成される。
【０００６】
機械的（特に、摩擦及び／又は明確に相互係合された（positively interengaged））接続及び／又は電気的接続が、前記ベース部材と前記照明装置との間でなされることができるように、前記第１の接続部材及び前記第２の接続部材が、機能的に接続されることができるような場合において、提供されることができる。
【０００７】
上述の実施例において特に好ましいのは、前記ベース部材が第１のエネルギ源を有すること及び／又は前記第１のベース部材が少なくとも１つの第２のエネルギ源に電気的に接続されることができ、前記ベース部材は、好ましくは、少なくとも１つの第３の接続部材及び前記第２のエネルギ源を有し、及び／又は少なくとも１つの電気的リード部材は、好ましくは、少なくとも１つの第４の接続部材を有し、引力の磁力は、特に、前記第３の接続部材と前記第４の接続部材との間に生成されることができ、及び／又は前記第１のエネルギ源及び／又は前記第２のエネルギ源は、少なくとも１つの非再充電可能電池、少なくとも１つの蓄電池及び／又は電気供給ネットワークへの接続を有する。
【０００８】
本発明が更に提案するものは、前記第１の接続部材、前記第２の接続部材、前記第３の接続部材及び／又は前記第４の接続部材が、少なくとも１つの磁石を有し、前記磁石は、特に少なくとも１つの永久磁石及び／若しくは少なくとも１つの電磁的手段を有し、引力の磁力が、前記磁石によって（特に、前記第１の接続部材が少なくとも１つの第１の磁石を有する、前記第２の接続部材が少なくとも１つの第２の磁石を有する、前記第３の接続部材が少なくとも１つの第３の磁石を有する並びに／又は前記第４の接続部材が少なくとも１つの第４の磁石を有して）前記第１の接続部材と前記第２の接続部材との間に及び／若しくは前記第３の接続部材と前記第４の接続部材との間に生成されることができる。
【０００９】
更に好まれるのは、前記第１の接続部材が、少なくとも１つ又は複数の領域において、前記第２の磁石によって生成される磁場によって引きつけられることができる少なくとも１つの第１の材料を有し、前記第２の接続部材が、少なくとも１つ又は複数の領域において、前記第１の磁石によって生成される磁場によって引きつけられることができる少なくとも１つの第２の材料を有し、前記第３の接続部材が、少なくとも１つ又は複数の領域において前記第４の磁石によって生成される磁場によって引きつけられることができる少なくとも１つの第３の材料を有し、前記第４の接続部材が、少なくとも１つ又は複数の領域において、前記第３の磁石によって生成される磁場によって引きつけられることができる少なくとも１つの第４の材料を有し、及び／又は前記第１の接続部材が前記第１の磁石を有し、前記第２の接続部材が前記第２の磁石を有し、及び／又は前記第３の接続部材が前記第３の磁石を有し、前記第４の接続部材が前記第４の磁石を有する場合である。
【００１０】
本発明は、更に、第１の接続部材及び／若しくは前記第３の接続部材が、一方において、少なくとも１つの第１のコンタクト部材を有し、前記第２の接続部材及び／若しくは前記第４の接続部材が、他方において、前記第１のコンタクト部材と電気的に接続されることができる少なくとも１つの第２のコンタクト部材を有し、前記第１のコンタクト部材及び前記第２のコンタクト部材は、好ましくは、このように設計され、特に、このように前記第１の接続部材、前記第２の接続部材、前記第３の接続部材及び／又は前記第４の接続部材の表面上に配されており、一方での前記第１の接続部材と他方での前記第２の接続部材との間、及び／又は一方での前記第３の接続部材と他方での前記第４の接続部材との間の相対的な位置の少なくとも２つ、好ましくは複数において、電気的接続が、一方での前記第１の接続部材と他方での前記第２の接続部材との間、及び／又は、一方での前記第３の接続部材と他方での前記第４の接続部材との間でなされることができることを提案する。
【００１１】
前記第１の接続部材及び／若しくは前記第３の接続部材が、少なくとも１つの第１のコンタクト表面を有し、前記第２の接続部材及び／若しくは前記第４の接続部材が、前記第１のコンタクト表面と相補的な第２のコンタクト表面を有し、引力の磁力が、特に、前記第１のコンタクト表面と前記第２のコンタクト表面との間で生成されることができる、並びに／又は前記第１のコンタクト表面が、少なくとも１つの第１の対称中心、少なくとも１つの第１の対称軸及び／若しくは少なくとも１つの第１の対称平面を有する、並びに／又は前記第２のコンタクト表面が、少なくとも１つの第２の対称中心、少なくとも１つの第２の対称軸及び／若しくは少なくとも１つの第２の対称平面を有するのも好ましい。
【００１２】
上述の照明システムは、更に、
−  前記第１のコンタクト部材と、特に、前記第１のコンタクト部材が有する少なくとも１つの、好ましくは複数の第１のコンタクト手段とが、特に、第１の対称点、第１の対称軸及び／若しくは第１の対称平面に関して、対称である（特に、回転対称である、鏡像対称である及び／若しくは点対称である）形態のものであることを特徴とする、
−  前記第２のコンタクト部材と、特に、前記第２のコンタクト部材が有する少なくとも１つの、好ましくは複数の第２のコンタクト手段とが、特に、第２の対称点、第２の対称軸及び／若しくは第２の対称平面に関して対称である（特に、回転対称である、鏡像対称である及び／若しくは点対称である）形態のものであることを特徴とすること、並びに／又は
−  前記第１の対称平面及び前記第２の対称平面、前記第１の対称軸及び前記第２の対称軸、及び／若しくは前記第１の対称点及び前記第２の対称点は、少なくとも前記第１の接続部材が前記引力の磁力によって第２の接続部材に接続される場合に、一致することを特徴とすることもできる。
【００１３】
前記ベース部材が、特に、前記ベース部材の異なる表面上に配される複数の第１の接続部材を有し、特に、前記ベース部材が、前記支持構造に隣接する第１の表面を有し、前記第１の表面とは異なる少なくとも２つの第２の表面が少なくとも１つの第１の接続部材を有し、前記第１の表面及び前記第２の表面は、好ましくは、特に前記ベース部材によって形成される通常の多面体、立方形、立方体、ピラミッド及び／又は斜方形の表面によって形成されていることも、好ましい。
【００１４】
本発明によれば、前記支持構造が、少なくとも１つの部屋の壁、少なくとも１つの部屋の天井及び／若しくは少なくとも１つの家具（例えば、テーブル及び／又は椅子）を含んでおり、前記ベース部材が、少なくとも１つのケーブルシステムに接続されることができる少なくとも１つの支持部材、少なくとも１つの自由スイング手段、少なくとも１つのランプの足及び／又は少なくとも１つの壁取り付けを有することも、提案される。
【００１５】
前記照明装置が、少なくとも１つの発光部材であって、好ましくは、少なくとも１つの第１の接合手段によって前記第２の接続部材に接続されている及び／若しくは前記第２の接続部材に対して移動されることができる発光部材を有する、並びに／又は前記照明装置が、少なくとも２つの、特に、複数の発光部材であって、少なくとも１つの第２の接合手段によって一緒に接続されている又は互いに対して移動されることができる発光部材を有し、前記第１の接合手段及び／若しくは前記第２の接合手段は、特に、自動ロック式である及び／又は無断階に移動可能であると共に、少なくとも１つの摺動接合、少なくとも１つの回転接合、少なくとも１つのネジ接合、少なくとも１つの摺動及び回転接合、少なくとも１つの自在継手及び／若しくは少なくとも１つのヒンジを有しており、並びに／又は前記発光部材は、少なくとも１つの発光ダイオード（ＬＥＤ）及び／若しくは少なくとも１つの有機発光ダイオード（ＯＬＥＤ）を有することも、好ましい。
【００１６】
本発明による照明システムは、更に、前記発光部材、前記第１の接続部材、前記第２の接続部材及び／又は前記ベース部材が有する少なくとも１つの制御及び／又は調整手段によって特徴付けられることもでき、当該照明装置の少なくとも１つの動作パラメータ（特に、発光スペクトル、放出の少なくとも１つの輝度、及び／若しくは照明及び／若しくは動作の少なくとも１つの期間）が、前記制御及び／若しくは調整手段によって制御及び／若しくは調整されることができ、前記照明装置が、好ましくは、前記制御及び／若しくは調整手段によってスイッチをオン・オフされる及び／若しくは調光されることができる。
【００１７】
最後に、本発明による照明システムに関して、前記第３の接続部材は少なくとも１つの出力ストリップを有する、前記第４の接続部材は前記出力ストリップ上にプラグ接続されることができる少なくとも１つのプラグ部材を有する、前記第３の接続部材は前記第４の接続部材が有する少なくとも１つの雄型の接続部材に対する少なくとも１つの雌型の受け口を有する、及び／又は前記第４の接続部材は、前記第３の接続部材が有する少なくとも１つの雄型の接続部材に対する少なくとも１つの雌型の受け口を有することが、提案される。
【００１８】
このことと同様に、本発明は、更に、本発明による照明システムにおいて使用されることができるベース部材を提供する。
【００１９】
更に、本発明は、本発明による照明システムにおいて使用されることができる照明装置を提供する。
【００２０】
本発明は、第１のベース部材が有する接続部材と照明装置が有する第２の接続部材との間に磁気的接続を設けることによって、前記照明システムが、ユーザによって所望の照明状況に適するように容易に調整されることができるという驚くべき発見に基づいている。このようにして、前記ユーザは、当該磁力に打ち勝つことによって前記ベース部材から前記照明装置を容易に分離することができ、次いで、前記照明装置と前記ベース部材との間の変更された相対位置において再び前記照明装置を容易に接続することができる。摩擦及び／又は明確に係合された接続と同様に、前記第１の接続部材及び前記第２の接続部材の接続は、好ましくは、前記照明装置へのエネルギの供給が提供されること保証するために、前記ベース部材と前記照明装置との間の電気的接続をなす。このようにして、前記ベース部材は、例えば、ストリップ（壁に固定されることができる）という形態をとることができ、前記ストリップ上に、少なくとも１つの照明装置（好ましくは複数の照明装置）が位置決めされることができる。この場合、複数の前記照明装置は、互いからの何らかの所望の距離において、かつ、前記ストリップに対する何らかの所望の位置において前記ストリップ上に配される、即ち前記ストリップに接続されることができる。如何なる付加的な手段も、このようにして前記照明装置を前記ベース部材に固定するのに必要とされない。前記照明装置が前記ベース部材から所定の距離に配されるとすぐに、引力が、前記ベース部材と前記照明と間に作用するからである。
【００２１】
しかしながら、引力の磁力は、前記照明装置と前記ベース部材との間の接続に限定されるものではなく、前記ベース部材が、磁力によって、第４の接続部材（特に、電気リード上のプラグ）との機能的に相互作用をするようにされることができる第３の接続部材を有することも、提案されることができる。特に、前記照明システムがテーブルランプという形態をとっている場合、この接続は、例えば、前記ベース部材に対する前記電気リード上のジャークが設けられている場合に、前記テーブルランプが落下するのを防止する。このようにして、前記第３の接続部材と前記第４の接続部材との間の接続は、前記接続リード上のジャークの形態における牽引がない場合、自動的に解除され、従って、前記テーブルランプの残部に対する力の伝達が回避されて、前記テーブルランプは、支持面上で、安全かつ確実に立つことができる。
【００２２】
この上、前記第３の接続部材は、電気ガイドストリップという形態もとることもでき、前記電気ガイドストリップ上で、前記第４の接続部材（例えば、プラグの形態をとることができる）は、特に、前記プラグが、このようにして前記ベース部材にできるだけ満足に位置決めされることを可能にする、特に、電気的接続のリードが、限定された長さのみである場合、前記プラグに接続されるのを可能にするために、自由に置き換えされることができる。 
【００２３】
前記照明装置は、自動ロック式の第１の接合手段によって、特に、前記第１の接続部材に接続されている有機発光ダイオード（ＯＬＥＤ）の形態における発光部材を、特に有している。前記第１の接合手段によってとられる形態は、前記発光部材が前記支持構造に対して何らかの角度において位置合わせされ、前記発光部材が、前記第１の接合手段の自動ロック特性の結果として、この位置に安定して留まることを可能にする。
【００２４】
従って、前記照明装置は、２つのメイン部分に分割される照明要素、即ち、好ましくは、前記発光部材と供給及び制御部材として振る舞う前記第１の接続部材とに分割される照明要素に基づいている。前記第１の接続部材は、好ましくは、例えば、これにより前記発光要素に電力が供給されることが保証される中央に配されたプラグの形態における第１のコンタクト手段を有している第１のコンタクト部材を有している。
【００２５】
特に前記第１の接続部材内に配されている制御及び／若しくは調整手段によって、前記発光部材は無断階に調光されることができ、特に、前記発光部材からの光の色が変化されることができる。
【００２６】
この場合において、前記制御及び／若しくは調整手段が、ベース部材の上面に配されている押ボタンを有し、このスイッチの切り替えられている状態に依存して光を発する又は発しない光間隙を有することが提供されることもできる。
【００２７】
特定の実施例において、前記ベース部材が独自のエネルギ源を有する、又はエネルギが、外部電源によって前記ベース部材に供給されることができることが、可能にされることもできる。特に、この場合において、前記ベース部材が、ケーブルシステムに接続されることができ、この場合、前記ケーブルシステムは、電気伝導ケーブルの使用に限定されるものではなく、比較的固い電気伝導バール部材又は棒体部材を有することもできる。
【００２８】
前記照明装置が、第２の接合手段によって一緒に接続される少なくとも２つの発光部材を有することも提供されることができる。このことは、個々の前記発光要素によって照明される立体角が、所望の照明状況が得られるような仕方において選択されることを可能にする。 
【００２９】
本発明の更なる特徴及び効果は、以下の記述から見られることができる。本発明の好ましい実施例は、添付図面を参照することで詳細に説明される。
【図面の簡単な説明】
【００３０】
【図１ａ】本発明による照明システムにおいて使用されることができる照明装置の第１実施例の斜視図である。
【図１ｂ】本発明による照明システムにおいて使用されることができる照明装置の第１実施例の斜視図である。
【図１ｃ】本発明による照明システムにおいて使用されることができる照明装置の第１実施例の斜視図である。
【図２ａ】本発明による照明装置において使用されることができるベース部材の第１の実施例及び第２の実施例を示している。
【図２ａ】本発明による照明装置において使用されることができるベース部材の第１の実施例及び第２の実施例を示している。
【図３】図１ａ乃至１ｃに示されている照明装置と図２ａに示されているベース部材とを有する本発明による照明システムの第１実施例の斜視図である。
【図４】図２ａに示されている前記ベース部材の分解斜視図である。
【図５ａ】図１ａ乃至１ｃに示されている照明装置と図２ｂに示されているベース部材とを有する本発明による照明システムの第２の実施例の斜視図であり、或る動作位置における当該照明システムを示している。
【図５ｂ】図１ａ乃至１ｃに示されている照明装置と図２ｂに示されているベース部材とを有する本発明による照明システムの第２の実施例の斜視図であり、他の動作位置における当該照明システムを示している。
【図５ｃ】図１ａ乃至１ｃに示されている照明装置と図２ｂに示されているベース部材とを有する本発明による照明システムの第２の実施例の斜視図であり、更に他の動作位置における当該照明システムを示している。
【図６】本発明による照明システムにおいて使用されることができるベース部材の第３の実施例の斜視図である。
【図７ａ】或る配置における、図１ａ乃至１ｃに示されている照明装置と図６に示されているベース部材とを有する本発明による照明システムの第３の実施例の斜視図を示している。
【図７ｂ】他の配置における、図１ａ乃至１ｃに示されている照明装置と図６に示されているベース部材とを有する本発明による照明システムの第３の実施例の斜視図を示している。
【図８】２つの照明装置及び第４の実施例のベース部材を有する本照明による照明システムの第４の実施例の斜視図である。
【図９】図８に示されている照明システムの詳細の斜視図である。
【図１０】照明装置の第２実施例とベース部材の第５の実施例とを有する本発明による照明システムの第５の実施例の斜視図である。
【図１１】図１０に示されている照明システムの詳細の斜視図である。
【図１２】図１０に示されている照明システムの詳細の斜視図である。
【図１３】図１ａ乃至１ｃに示されている照明装置と第６の実施例のベース部材とを有する本発明による照明システムの第６の実施例の斜視図である。
【図１４】図１３に示されている照明システムの詳細の斜視図である。
【発明を実施するための形態】
【００３１】
図１ａ乃至１ｃは、本発明による照明システムにおいて使用されることができる照明装置１の第１実施例の斜視図である。図１ａ及び１ｂは、照明装置１の正面図であるのに対し、図１ｃは、照明装置１の後方の図である。照明装置１は、有機発光部材又は有機発光ダイオード（ＯＬＥＤ）部材３の形態における発光部材を有している。後の時点で説明されるベース部材によって、照明装置１は、更に、照明システムを形成するように組み合わされることもできる。この目的のために、前記ベース部材は、第１の接続部材を有しており、照明装置１は、第２の接続部材５を有している。第２の接続部材５によって、一方では、照明装置１とベース部材との間で機械的な接続がなされ、他方では、発光ダイオード部材３にエネルギを供給するための電気的接続がなされることができる。この目的のために、前記ベース部材（ベース部材の様々な実施例は後述される）は、第１のコンタクト表面と少なくとも１つの第１のコンタクト部材とを有し、これに対して、第２の接続部材５は、相補的な第２のコンタクト表面７と相補的な第２のコンタクト部材９とを有する。後述されるように、第１のコンタクト部材は、前記第２のコンタクト部材の第２のコンタクト手段へ電気的に接続するための１つ以上の第１のコンタクト手段を有することができる。第２のコンタクト部材９は、例えば、コンタクトピン１１の形態における第２のコンタクトを有する。
【００３２】
発光ダイオード部材３は第２の接続部材５に、第２の接続部材５に対して移動可能であるような仕方において、自動ロック式ヒンジ１３の形態における第１の接合手段によって、接続されている。
【００３３】
図２ａ及び２ｂに示されているのは、ベース部材１５ａ（図２ａ）の第１実施例の斜視図、及びベース部材１５ｂ（図２ｂ）の第２実施例の斜視図であり、両方とも、本発明による照明システムにおいて使用されることができる。ベース部材１５ａは、ベース部材１５ａが（特に、非再充電可能な電池及び／又は蓄電池を含む）第１のエネルギ源（図示略）を有する点において、ベース部材１５ｂと異なるのに対し、ベース部材１５ｂは、電力供給ネットワークの形態において第２のエネルギ源に接続されており、リード１７の形態における電気的リード部材によって、電気エネルギを供給されることができる。
【００３４】
ベース部材１５ａ及び１５ｂは、それぞれ、第１のコンタクト面２１ａ、２１ｂ及び第１のコンタクト部材２３ａ、２３ｂを持つ第１の接続部材１９ａ、１９ｂを有する。コンタクト部材２３ａ、２３ｂは、この場合において、照明装置１のコンタクトピン１１のための受け口２５ａ、２５ｂを有している。
【００３５】
図３に示されているのは、本発明による照明システム２７の第１実施例の斜視図である。照明システム２７は、特に、ベース部材１５ａと照明装置１とを有している。本発明によれば、第１の接続部材１９ａが第２の接続部材５と一緒にされる場合、引力の磁力が、第１の接続部材１９ａと第２の接続部材５との間に生成される。この目的のために、第１の接続部材１９ａは、コンタクト表面２１ａの領域に永久磁石を有しており、第２の接続部材５は、前記永久磁石によって生成される磁場によって引きつけられる材料を有している。ベース部材１５ａと照明装置１との間の機械的な接続は、このようにして固定される。接続は、更なる手段を必要とすることなく当該照明システムのユーザによって解除されることができ、ユーザがしなければならないのは、照明装置１とベース部材１５ａとの間の引力の磁力に打ち勝つように照明装置１を引っ張る力をかけることのみである。
【００３６】
図３からも分かるように、第１のコンタクト表面２１ａ及び第２のコンタクト表面７が、相補的な外形及びプロファイリングを有しており、これらが正方形の外形であることにより、領域のこれらの対応する中心の領域に関して鏡像対称性を有するように構成される。第１のコンタクト部材２３ａ（又はより厳密には、受け口２５ａ）と第２のコンタクト部材９（又はより厳密には、コンタクトピン１１）とは、領域の前記対応する中心に関して対称であるように配されている。コンタクト部材９、２３ａのこの配置は、照明装置１（即ち第２の接続部材５）が、コンタクト表面７の平面において、第１の接続部材１９ａ（即ちベース部材１５ａ）に対して如何なる所望の角度においても領域の中心に関して回転されることを可能にし、この場合、如何なる位置においてもコンタクトピン１１と受け口２５ａとの間の電気的接続が設けられることが信頼されることができる。しかしながら、コンタクト表面２１ａ及び７の外形のために、機械的な接続のみが、約９０°の回転の増大の各々において保証される。
【００３７】
図４に示されているのは、ベース部材１５ａの分解斜視図である。ベース部材１５ａは、包囲カバー２９を有している。更に示されているように、ベース部材１５ａは、照明装置１をオン／オフに切り替えるスイッチ３１も有する。スイッチ３１は、スイッチ３１が位置されることを可能にするために、特に照明装置１がオフに切り替えられている場合に光を発する光間隙３３によって囲まれている。スイッチ３１は、制御及び／又は調整手段３４形成することを可能にするように適切な回路構成要素を有するプリント回路基板上に配されている。この制御及び／又は調整手段３４は、照明装置１の様々な動作パラメータが設定されることを可能にし、特に、例えば、かなり長い期間において押圧されるスイッチ３１によって調光されることがでる、及び／又は発光ダイオード部材３の発光スペクトルが変更されることができる。
【００３８】
図５ａ〜５ｃに示されているのは、照明システム２７'の第２の実施例である。照明システム２７'は、単に、ベース部材１５ａというよりもむしろ、照明装置１に接続されているのがベース部材１５ｂであるという点において、照明システム２７と異なる。図５ａ乃至５ｃから分かるように、ベース部材１５ｂは、壁取り付けを構成し、部屋の壁の形態において支持構造に接続されており、従って、照明システム２７'に壁ランプを形成させる。自動ロック式ヒンジ１３のために、発光ダイオード部材３は、接続部材５に、従って前記部屋の壁に、様々な角度において位置合わせされることができる。このようにして、これは、本質的に、図５ａに示されている位置において照明されることができる部屋の壁に対して垂直な方向であるのに対し、図５ｃに示されている位置において、前記壁に対して下方の方向が照明され、照明システム２７は、例えば、読書灯として使用されることができる。前記ベース部材から照明装置１を解放し、第１の接続部材１９ｂと第２の接続部材５との間の引力の磁力に打ち勝ち、照明装置１を引き離し、照明装置１を前記部屋の壁に対して垂直に又はむしろコンタクト表面２１ｂに対して垂直に延在する回転軸上で特に、９０°、１８０°又は２７０°にわたって回転させ、次いで、照明装置１を第１の接続部材１９ｂと第２の接続部材５との間の引力の磁力によって再びベース部材１５ｂに接続することによって、照明装置１は、示されていない構成に変更されることができる。このことは、左側、右側又は上方への照明も、図５ａ乃至５ｃにおいて得られることを可能にする。 
【００３９】
このベース部材１５ｂは、リード１７上の（雄型）プラグ３５の形態における第４の接続部材のための、（雌型）受け口の形態における、第３の接続部材も有している。前記受け口内にプラグ３５を固定するために、引力の磁力が前記第３の接続部材（即ち前記受け口）と前記第４の接続部材（即ち前記プラグ）との間にも生成される。（例えば、固締された、クリップされた又はラッチ係合の接続の形態における）如何なる他の機械的な接続も、設けられない。このことは、ジャークの形態における力がリード１７上に印加されている場合、リード１７とベース部材１５ｂとの間の接続は、結果として、ベース部材１５ｂが部屋の壁から分離され得る極端に大きい力をベース部材１５ｂに印加することなく、解除されることができる。
【００４０】
図６に示されているのは、同様に壁取り付けとして使用されることができるベース部材３７の第３の実施例である。ベース部材３７は、ベース部材３７がほぼ立方体の幾何学的配置であるという点において、ベース部材１５ｂとは本質的に異なる。ベース部材３７の様々な構成要素は、側面３９、４１、４３、４４（図７ａも参照）のうちの対応するもの上に配される。スイッチ４５は、側部面３９に配されるのに対し、第１の接続部材４７、４９、５１（図７ａも参照）は、それぞれ、前記立方体の側部面４１、４３及び前記立方体の側部面４３から反対の側部面４４上に配される（図７ａも参照）。第１の接続部材４７、４９、５１は、第１の接続部材１９ｂに対して設計において類似のものである。ベース部材３７に関して記載されている設計は、第２の接続部材５をそれぞれの接続部材４７、４９、５１に接続することによって、照明装置１が側面４１、４３、４４のうちの適切な１つの上に配されることを可能にし、このようにして、照明の所望の方向が照明装置１に対して設定されるのを可能にする。
【００４１】
図７ａ及び７ｂに示されているのは、本発明による照明システム５３の第３の実施例である。照明システム５３は、特に、ベース部材３７と照明装置１とを有している。図７ａに示されているのは、照明装置１が、側部面４３上の接続部材４９に接続されている、照明システム５３の構成であるのに対し、図７ｂに示されているのは、照明装置１が側部面４４上の接続部材５１に接続されている、照明システム５３の構成である。
【００４２】
図８に示されているのは、本発明による照明システム５５の第４の実施例の斜視図である。照明システム５５は、ベース部材を形成すると共に部屋の壁５９の形態において支持構造上に取り付けられるストリップ５７を有している。照明システム５５は、２つの照明装置６１ａ、６１ｂも有している。照明装置６１ａ、６１ｂは、ヒンジ６５ａ、６５ｂによって第２の接続部材６７ａ、６７ｂに接続されるそれぞれのＯＬＥＤ部材６３ａ、６３ｂを有している。ストリップ５７の表面は、照明システム５５の第１の接続部材を形成すると共に、磁気材料を有する。前記磁気材料は、引力の磁力が接続部材６７ａ、６７ｂ上に印加されるようにし、このようにして自身をストリップ５７に接続されるようにする。しかしながら、上述の実施例とは対照的に、如何なる電気的接触も、前記第１の接続部材と前記第２の接続部材との間になく、この代わりに電気エネルギが、ストリップ５７から（この場合、照明システム５５の）照明装置６１ａ、６１ｂまで誘導的に伝達される。エネルギは、リード６９によってストリップ５７に供給される。
【００４３】
図９に示されているのは、ストリップ５７の後部の詳細の斜視図である。図９から分かるように、ストリップ５７は、第３の接続部材を構成する出力ストリップ７１を有する。リード６９上のプラグ７３の形態における第４の接続部材は、前記出力ストリップに接続されることができる。この接続は、プラグ７３と出力ストリップ７１との間の引力の磁力によってなされ、この場合、特に、プラグ７３は、永久磁石を有し、出力ストリップ７１は、前記永久磁石によって生成される磁場によって引き付けられる材料を有する。
【００４４】
図１０に示されているのは、テーブルランプ７５の形態における本発明による照明システムの第５の実施例である。テーブルランプ７５の詳細の斜視図は、図１１及び１２に示されている。テーブルランプ７５は、テーブルの表面７７の形態における支持構造上に配されて、ランプの足７９の形態における第１のベース部材を有している。照明装置８１は、接続部材５及び１９ａ又は１９ｂに実質的に対応している対応する接続部材によって、ランプの足７９に接続されている。しかしながら、照明装置１とは異なり、照明装置８１は、２つのＯＬＥＤ部材８３ａ、８３ｂを有する。２つのＯＬＥＤ部材８３ａ、８３ｂは、図１１から分かるように、ヒンジ８５の形態における第２の接合手段を介して互いに対して移動可能であるような仕方において一緒に接続されている。ＯＬＥＤ部材８３ａ、８３ｂを互いに対して位置合わせすることによって、テーブルの表面７７に対して所与の場合におけるＯＬＥＤ部材８３ｂに関して望まれる如何なる照明の角度も、設定することができる。ＯＬＥＤ部材３に対する類似の仕方において、ＯＬＥＤ部材８３ａは、所望のとおり、ヒンジにより、ランプの足７９に固締するための第２の接続部材に接続されることができ、又は第２の接続部材に堅く接続されることができる。エネルギは、リード８７を介してテーブルランプ７５に供給され、リード８７は、リード１７に対するのと同様の仕方において（即ち、磁気相互作用によって）ランプの足７９に接続されることができる。このことは、リード８７に対して大きい引っ張り力が作用する場合、ランプの足７９に対する接続が解除され、このようにして、テーブルランプ７５は、テーブルの表面７７上でシフトする又はテーブルの表面７７から落下するのを防止されることを保証する。
【００４５】
最後に、図１３及び１４は、本発明による照明システム８９の第６の実施例を示している。照明システム８９は、複数の第１の照明装置１と対応するベース部材９１とを有している。ベース部材９１は、ケーブルシステム９３の形態における支持構造９５に接続されている。ケーブルシステム９３は、ワイヤケーブル又はロープの形態をとる支持部材９５を有している。前記支持部材は、棒体という形態をとるように設けられることもできる。ベース部材９１は、接続部材１９ａ及び１９ｂに類似の設計である接続部材（図示略）を有しており、磁気接続が、特に、ベース部材９１と照明装置１の第２の接続部材５との間でなされることができる。それぞれの照明装置１は、図１３において、ベース部材９１と照明装置１との相対的な位置を比較することによって分かるように、ベース部材９１に対して、即ち接続部材５に対して、様々な位置において配されることもできる。
【００４６】
本明細書、添付請求項及び添付図面において開示されているフィーチャは、個々において及び所望の組み合わせにおいての両方において、本発明の異なる実施例における本発明に対して本質的なものであることができるものである。
【符号の説明】
【００４７】
１  照明装置
３  発光ダイオード部材
５  接続部材
７  コンタクト表面
９  コンタクト部材
１１  コンタクトピン
１３  ヒンジ
１５ａ、１５ｂ  ベース部材
１７  リード
１９ａ、１９ｂ  接続部材
２１ａ、２１ｂ  コンタクト表面
２３ａ、２３ｂ  コンタクト部材
２５ａ、２５ｂ  受け口
２７、２７'  照明システム
２９  遮蔽カバー
３１  スイッチ
３３  光間隙
３４  制御及び／又は調整手段
３５  プラグ
３７  ベース部材
３９  側部面
４１  側部面
４３  側部面
４４  側部面
４５  スイッチ
４７  接続部材
４９  接続部材
５１  接続部材
５３  照明システム
５５  照明システム
５７  ストリップ
５９  部屋の壁
６１ａ、６１ｂ  照明装置
６３ａ、６３ｂ  ＯＬＥＤ部材
６５ａ、６５ｂ  ヒンジ
６７ａ、６７ｂ  接続部材
６９  リード
７１  出力ストリップ
７３  プラグ
７５  テーブルランプ
７７  テーブルの表面
７９  ランプの足
８１  照明装置
８３ａ、８３ｂ  ＯＬＥＤ部材
８５  ヒンジ
８７  リード
８９  照明システム
９１  ベース部材
９３  ケーブルシステム
９５  支持部材
【図１ａ】
2012527723.tif 000003
【図１ｂ】
2012527723.tif 000004
【図１ｃ】
2012527723.tif 000005
【図２ａ】
2012527723.tif 000006
【図２ｂ】
2012527723.tif 000007
【図３】
2012527723.tif 000008
【図４】
2012527723.tif 000009
【図５ａ】
2012527723.tif 000010
【図５ｂ】
2012527723.tif 000011
【図５ｃ】
2012527723.tif 000012
【図６】
2012527723.tif 000013
【図７ａ】
2012527723.tif 000014
【図７ｂ】
2012527723.tif 000015
【図８】
2012527723.tif 000016
【図９】
2012527723.tif 000017
【図１０】
2012527723.tif 000018
【図１１】
2012527723.tif 000019
【図１２】
2012527723.tif 000020
【図１３】
2012527723.tif 000021
【図１４】
2012527723.tif 000022
【国際調査報告】
2012527723.tif 000023
2012527723.tif 000024